(57)【特許請求の範囲】
【請求項１】
複数の視点からなる映像を表示する映像表示手段と、映像表示手段からの映像光を一対の視点からの映像光として左右の眼に対応して分離するパララックスバリアと、を備えた眼鏡なし立体映像表示装置において、前記パララックスバリアは表示画面の上部周辺部及び下部周辺部の開口率を上下方向の中央部の開口率より大きく設定していることを特徴とする眼鏡なし立体映像表示装置。
【請求項２】
前記パララックスバリアは、表示画面の上部周辺部及び下部周辺部の遮光部の幅が上下方向の中央部の遮光部の幅より狭く形成されていることを特徴とする請求項１に記載の眼鏡なし立体映像表示装置。
【請求項３】
複数の視点からなる映像を表示する映像表示手段と、映像表示手段からの映像光を一対の視点からの映像光として左右の眼に対応して分離するパララックスバリアと、を備えた眼鏡なし立体映像表示装置において、前記パララックスバリアは、表示画面の左部周辺部及び右部周辺部の開口率が左右方向の中央部の開口率より大きくなるように、前記左部周辺部及び右部周辺部の遮光部の幅が前記左右方向の中央部の遮光部の幅より狭く形成されていることを特徴とする眼鏡なし立体映像表示装置。
【請求項４】
複数の視点からなる映像を表示する映像表示手段と、映像表示手段からの映像光を一対の視点からの映像光として左右の眼に対応して分離するパララックスバリアと、を備えた眼鏡なし立体映像表示装置において、前記パララックスバリアは表示画面の左部周辺部及び右部周辺部の開口率を左右方向の中央部の開口率より大きく設定し、前記左右方向の中央部において、前記表示画面の上部周辺部及び下部周辺部の開口率を上下方向の中央部の開口率より大きく設定していることを特徴とする眼鏡なし立体映像表示装置。
【請求項５】
前記パララックスバリアは、表示画面の左部周辺部及び右部周辺部の遮光部の幅が左右方向の中央部の遮光部の幅より狭く形成され、前記左右方向の中央部において、前記表示画面の上部周辺部及び下部周辺部の遮光部の幅が上下方向の中央部の遮光部の幅より狭く形成されていることを特徴とする請求項４に記載の眼鏡なし立体映像表示装置。
【発明の詳細な説明】
【０００１】
【発明の属する技術分野】
この発明は、特殊な眼鏡を用いない立体映像表示装置に関する。
【０００２】
【従来の技術】
近年、電子表示装置の分野において、技術の発達が著しく、表示画面の大画面化、高精細化が進んでいる。表示画面の大画面化、高精細化によって、表示画面上、人間の視野に占める画像の割合が増加し、人間の目の分解能では判別できないほど高密度に画素を配置することができる。これにより、画像は実物に近い、自然なものとなり、高い臨場感を生むことになる。しかしながら、このような画像は平面的であるのに対し、実際の物は立体的であるため、より臨場感を高めた自然な画像とするには、平面的な画像では限界がある。
【０００３】
ところで、人間は、左右２つの目の働きにより、物を立体的に見ることができる。したがって、立体的に物を表示できれば、より高い臨場感を生むことになる。そこで、近年、物の立体的表示に関する研究が盛んに行われている。
【０００４】
従来、種々の立体映像表示装置が提案されており、その中で、特殊な眼鏡なしに立体映像を表示する装置として、レンチキュラーレンズやパララックスバリアなどの光学分離手段を用いたものが知られている。特開平１０−２６８２３２号公報には、バックライトと、表示パネルとしての液晶表示パネルと、この液晶表示パネルの観察者側に配置されるパララックスバリアと、を備えた立体映像表示装置が提案されている。
【０００５】
パララックスバリア方式の立体映像表示装置としては、例えば、図１に示すように、バックライト１と、表示パネルとしての液晶表示パネル２と、この液晶表示パネル２の観察者側に配置されるパララックスバリア３と、を備える。パララックスバリア３は、ガラス若しくは透明樹脂などの透明基板３１に多数のストライプ状の遮光部３２を形成したものである。液晶表示パネル２は、ガラス基板２２及び２４の間に液晶層２３が設けられ、更に光出射側のガラス基板２２には、出射側偏光板２１が、光入射側のガラス基板２４には入射側偏光板２５がそれぞれ設けられている。そして、液晶表示パネル２の液晶層２３に右眼用画像と左眼用画像が交互に表示される。バックライト１からの光を透過した映像はパララックスバリア３により分離され、観察者の左眼１０Ｌには左眼用映像のみ、右眼１０Ｒには右眼用映像のみが観察され、立体映像が認識される。
【０００６】
上記したパララックスバリア方式の立体表示装置としては、図２に示すように、液晶モニタなどからなる液晶ディスプレイ装置１０に設けられたものがある。液晶ディスプレイ装置１０は、液晶表示パネル２を筺体１２に収容している。この液晶表示パネル２の観察者側の表示画面１１上にはパララックスバリア３が設けられている。また、筺体１２には脚部１３が取り付けられ、この脚部１３により机の上などに設置される。
【０００７】
液晶ディスプレイ装置１０に、図示しないパーソナルコンピュータ等から映像信号が与えられ、液晶表示パネル２にて所定の映像が表示される。立体映像の場合には、視点数に応じた映像が表示される。例えば、視点数が２の２眼式の場合は、左眼用映像と右眼用映像が交互に表示されることになる。そして、パララックスバリア３により左右の映像に分離され、立体映像を観察する。
【０００８】
このような方式おいて、表示画面全体にわたって鮮明な立体映像を観察するために、液晶表示パネル２とパララックスバリア３との間隔を均一にする必要があり、液晶表示パネル２とパララックスバリア３を接触させて配置している。
【０００９】
【発明が解決しようとする課題】
しかし、液晶ディスプレイ装置１０の大画面化に伴い、液晶表示パネル２の反りが無視できなってきている。この反りなどの影響により、図３に示すように、周辺部に干渉縞２１が発生し、違和感が生じていた。
【００１０】
この発明は、従来のかかる問題点を解決するためになされたものにして、干渉縞を薄くし、違和感無く立体視を観察するできる立体映像表示装置を提供することを目的とする。
【００１１】
【課題を解決するための手段】
この発明の眼鏡なし立体映像表示装置は、複数の視点からなる映像を表示する映像表示手段と、映像表示手段からの映像光を一対の視点からの映像光として左右の眼に対応して分離するパララックスバリアと、を備えた眼鏡なし立体映像表示装置において、前記パララックスバリアは表示画面の周辺部の開口率を中央部の開口率より大きく設定していることを特徴とする。
【００１２】
前記パララックスバリアは、表示画面の周辺部の遮光部の幅が中心部の遮光部の幅より狭く形成するとよい。
【００１３】
上記したように、表示画面の周辺部の開口率を高くすることで、透過する光の量が多くなる。この結果、干渉縞が薄くなり、画面全体が見やすくなる。
【００１４】
【発明の実施の形態】
以下、この発明の実施形態を図面に基づいて説明する。図４は、この発明の実施形態を示す分解斜視図、図５は、この発明の実施形態を示す説明図、図５は、この発明の要部を説明する模式的図である。尚、従来例と同一部分には同一符号を付す。
【００１５】
この発明の実施形態は、上記した立体映像表示装置と同様にバックライトと、表示パネルとしての液晶表示パネル２と、この液晶表示パネル２の観察者側に配置されるパララックスバリア３と、を備える。そして、図４に示すように、パララックスバリア３は、ガラス若しくは透明樹脂などの透明基板３１に多数のストライプ状の遮光部３２を形成したものである。このパララックスバリアの遮光部３２のバリアピッチは液晶表示パネル２の画素ピッチと視点間距離により決定される。このパララックスバリア３は、図４ないし図６に示すように、開口率を中央と周辺部とを異なる値にしている。具体的には、図６に示すように、遮光部３２の幅を中央部３２ａより周辺部３２ｂの方を細くして、周辺部の開口率を大きくしている。
【００１６】
図４ないし図６に示す実施形態は、液晶表示パネル２の表示画面の上部周辺と下部周辺の開口率を大きくするため、上部周辺と下部周辺の遮光部３２の幅を中央部３２ａより周辺部３２ｂの方を細くしている。
【００１７】
上記したように、開口率を高くすることで、パララックスバリア３より透過する光の量が多くなる。この結果、干渉縞が薄くなる。尚、開口率を大きくした周辺部では、クロストークやモアレが発生する場合もあるが、本来画面中央部付近が正しく立体視できれば問題は生じない。クロストークやモアレの発生よりも干渉縞の方が観察者に対しては違和感が感じられる。
【００１８】
上記した実施形態は、上部と下部の周辺部の開口率を大きくしたが、図７に示すように、両端、すなわち、左部周辺部と、右部周辺部との開口率を大きくしてもよい。この場合、両端の周辺の遮光部３２の幅を端部に近づくにつれて細くすればよい。
【００１９】
図８に示す実施形態は、中央部以外の周囲４辺の開口率を大きくしたものである。この場合、図５に示す遮光部３２の形状と、右端部、左端部に近づくにつれて遮光部３２の幅細くする構成とを組み合わせればよい。
【００２０】
上記した実施形態においては、映像表示装置として、液晶表示ディスプレイ装置を用いたが、他の表示装置、例えばプラズマディスプレイ、リアプロジェクション装置、有機ＥＬ発光デバイスを用いた装置などを用いることもできる。
【００２１】
また、この発明は、視点数が２より多い場合や、垂直方向にも視差ある場合や開口部が斜めに配置される場合など、いかなる場合にも適用できる。
【００２２】
【発明の効果】
以上説明したように、この発明によれば、周辺部の干渉縞が目立たなくなるため、画面全体が見やすくなり、違和感を覚えることがなく立体視を観察することができる。
【００２３】
【図面の簡単な説明】
【図１】従来の立体映像表示装置の構成を示す模式図である。
【図２】立体映像表示装置の外観の構成を示す斜視図である。
【図３】従来の立体映像表示装置における干渉縞の発生状態を示す模式図である。
【図４】この発明の実施形態を示す分解斜視図である。
【図５】この発明の実施形態の構成を示す説明図である。
【図６】この発明におけるパララックスバリアの要部を示す平面図である。
【図７】この発明の他の実施形態の構成を示す説明図である。
【図８】この発明の異なる実施形態の構成を示す説明図である。
【符号の説明】
１  バックライト
２  液晶表示パネル
１１  表示画面
３  パララックスバリア
３２  ストライプ状の遮光部
【図１】
0003762714.tif 000002
【図２】
0003762714.tif 000003
【図３】
0003762714.tif 000004
【図４】
0003762714.tif 000005
【図５】
0003762714.tif 000006
【図６】
0003762714.tif 000007
【図７】
0003762714.tif 000008
【図８】
0003762714.tif 000009